(57)【特許請求の範囲】
【請求項１】
基台上に上下方向に回動可能に取り付けられ、前方側へ向けて伸長する腕部を有する竿受け部と、この竿受け部後方に設けられた釣竿保持部とを有する釣竿保持装置において、
この釣竿保持装置は、一端側が基台に軸支され、他端側が前記腕部に沿って変位可能に支持された位置決め部材に軸支された連結軸と、前記位置決め部材を前記腕部に沿った任意の位置で固定可能にする位置変更手段とを備え、前記位置決め部材を任意位置に位置決めすることで、前記腕部の上下方向の角度調節を可能にしたことを特徴とする釣竿保持装置。
【請求項２】
前記位置変更手段は、腕部に連続的に形成された凹凸部と、この凹凸部に対して前記位置決め部材を係合させて位置決め部材の移動を阻止する移動阻止機構とを有することを特徴とする請求項１に記載の釣竿保持装置。
【請求項３】
前記移動阻止機構は、前記凹凸部に対して前記位置決め部材を係合／非係合させる回動操作可能なカムレバーを有することを特徴とする請求項２に記載の釣竿保持装置。
【請求項４】
前記移動阻止機構は、前記凹凸部に対して、前記位置決め部材が係合状態となるように、位置決め部材を前記凹凸部に付勢する付勢バネと、前記係合状態を解除するよう、前記付勢バネを付勢力に抗して押圧する押圧操作部とを有することを特徴とする請求項２に記載の釣竿保持装置。
【発明の詳細な説明】
【０００１】
【発明の属する技術分野】
本発明は、船釣りの際に用いられ、釣竿を着脱自在に保持することを可能にする釣竿保持装置に関する。
【０００２】
【従来の技術】
通常、釣竿保持装置は、竿の基端側を保持する保持機構と、その先側を支持するように竿掛け腕部を備えており、この竿掛け腕部は、釣り状況に応じて上下方向で竿の角度調節ができるように角度調節可能に構成されている。従来の竿掛け腕部の角度調節は、登録実用新案第３０１４１５９号に開示されているように、竿掛け腕部の後端部を軸支すると共に、それよりも前方位置で腕部の下面に突き出した螺子部の先端の突出量を変化させることで行っている。
【０００３】
しかし、上記構成の場合、腕部の角度調節幅が螺子の突出量に比例するため、角度調節の範囲を広くしようとすると螺子を長くする必要があるが、実際には螺子の頭部が腕部の上面から突出するため、糸絡みし易くなって一定の長さ以上の螺子を用いることはできない。
【０００４】
一方、上記したような不具合が生じない釣竿保持装置として、実開昭５５−１２３２８３号や実開昭５９−３４５７８号には、一端を腕部下面に固定し、他端を腕部下方の基部に設けた調節部に選択的に位置決めできる連結軸を用いる技術が開示されている。この内、連結軸の他端を選択的に位置決めする手段として、前者の公報には、基部に多数の位置決め孔を設ける構成が、また、後者の公報には、基部に連続的な段部を形成する構成が開示されている。
【０００５】
【発明が解決しようとする課題】
しかし、上記実開昭５５−１２３２８３号に示されている技術は、位置決め孔に対してピンを抜き差しすることで角度調節を行うため、基部に設けた孔と連結軸に設けられている孔の位置合わせが難しいため調節作業が煩わしく、さらにはピンを紛失してしまう、という不具合がある。また、上記実開昭５９−３４５７８号に開示されている技術は、連結軸の他端部における位置決め後の固定を、チョウネジと平ワッシャで行うため、その固定が確実でなく、位置決め後に腕部を誤って持ち上げてしまうと、連結軸端部の位置がずれてしまうことがある。
【０００６】
また、いずれの公知技術も、基台側に角度位置を変更するための変更手段（孔や段部）が設けられているため、基台が大型化してしまい、釣竿保持装置そのものがコンパクトにならず、収納時に嵩張ってしまう。
【０００７】
この発明は、竿掛けした際、釣竿の上下方向の角度調節が容易に行え、大型化することの無い釣竿保持装置を提供することを目的とする。
【０００８】
【課題を解決するための手段】
上記課題を解決するために、本発明の釣竿保持装置は、基台上に上下方向に回動可能に取り付けられ、前方側へ向けて伸長する腕部を有する竿受け部と、この竿受け部後方に設けられた釣竿保持部とを有し、この釣竿保持装置は、一端側が基台に軸支され、他端側が前記腕部に沿って変位可能に支持された位置決め部材に軸支された連結軸と、前記位置決め部材を前記腕部に沿った任意の位置で固定可能にする位置変更手段とを備え、前記位置決め部材を任意位置に位置決めすることで、前記腕部の上下方向の角度調節を可能にしたことを特徴とする。
【０００９】
上記した構成において、腕部の上下方向の角度調節は、位置決め部材が腕部に沿って変位する位置に応じてなされる。すなわち、位置決め部材が腕部の基端側にスライドし、ここで位置決めされると、腕部の水平線に対する角度が大きくなり、逆に位置決め部材が腕部の先端側にスライドし、ここで位置決めされると、腕部の水平線に対する角度が小さくなる、というように角度調節がなされる。
【００１０】
【発明の実施の形態】
以下、本発明の実施の形態を添付図面を参照して説明する。
【００１１】
図１は、本発明の第１の実施の形態に係る釣竿保持装置を側面から見た中央断面図である。釣竿保持装置１は、万力２等による挟持具によって装置全体を船縁に固定する船縁固定部３と、この船縁固定部上に設けられる基台５とを備えている。この基台５には、リール取付位置の前方で竿を支持する竿受け部６と、リール取付位置の後方で竿の基端部を保持する竿保持部７が設けられている。前記竿受け部６は、前方側に向かって延出し先端部に二股状に構成されて竿を受け止める竿受け９ａが形成された腕部９を有しており、前記釣竿保持部７は、筒状で上方に突出する支持部材（本体）１０を有している。
【００１２】
前記支持部材１０の上方には、リール後方側の釣竿を両端側から挟持して保持するように、開閉可能な一対のアーム１２が設けられている。これらのアーム１２は通常開いており、釣竿をアーム間に位置せしめ、竿押圧体（図示せず）を下方に押し込むと閉じた状態となり、この状態から操作レバー１３を操作することで釣竿を解放するように構成されている。
【００１３】
なお、実際に釣竿を保持した状態が２点鎖線で示されており、リール１００の前方位置で竿受け９ａが釣竿１０１を受けると共に、リール１００の後方位置でアーム１２が釣竿１０１を挟持、保持する。なお、前記支持部材１０は、回動可能となるように、支軸１０ａによって基台５に支持しておくことが好ましい。また、釣竿１０１の基端側の保持手段については、図に示す構成以外にも釣竿側に予め保持部材を装着しておき、この保持部材を支持部材１０に形成された係止機構に押し込むことで、後方領域を保持する構成であっても良い。
【００１４】
前記腕部９は、支持部材１０と同様、支軸１０ａによって上下方向に回動可能に基台５に支持されており、以下に詳述する構成によって、所望の回動位置で固定されるようになっている。
【００１５】
以下、腕部９の回動位置を固定する機構を図２乃至図７を参照して説明する。腕部９には、上下方向に貫通し、長手方向に延出する孔９ｂが形成されており、ここに位置決め部材３０が配されている。位置決め部材３０は、腕部９の裏面側をスライドすると共に、裏面に接触可能な係合部３０ａと、係合部３０ａの略中央部に突設され、前記孔９ｂに沿って摺動すると共に、腕部９の表面から突出する摺動部３０ｂとを備えている。
【００１６】
前記係合部３０ａには、一端側が基台５に軸支された連結軸３２の他端側が軸支されている。また、係合部３０ａには、腕部９に対向する面側に凹凸部３０ｃが形成されており、腕部９の孔９ｂの周囲に形成された凹凸部９ｃに対して、移動阻止機構によって係合、非係合するようになっている。
【００１７】
前記移動阻止機構は、腕部９の表面から突出する摺動部３０ｂに設けられており、具体的には、摺動部３０ｂに、貫通ピン３０ｄを介して回動可能に支持されたカムレバー３５を備えている。カムレバー３５は、実際に操作される操作部３５ａと、支軸となる貫通ピン３０ｄから偏芯するカム面３５ｂを備えており、このカム面３５ｂは、図５の矢印で示すように回動された際、腕部９の孔９ｂの周囲の表面に連続的に摺接するようになっている。カム面３５ｂは、貫通ピン３０ｄに対して偏芯しているため、図５に示すように回動されると、摺動部３０ｂが下方に移動し、前記した腕部の凹凸部９ｃと係合部３０ａの凹凸部３０ｃの係合状態を解除する。なお、操作部３５ａは、図２に示す腕部９の回動固定状態において、その表面部に糸が引っ掛かり難いように、その表面を曲面形状にすることが望ましい。
【００１８】
上記したように両者の係合が解除されると、摺動部３０ｂは、孔９ｂ内を自由に摺動することが可能となり、連結軸３２の回動によって、腕部９の回動角度を調節することが可能となる。すなわち、図５に示すように、摺動部３０ｂを、腕部の基端側に向けて摺動させると腕部９は上方に向けて回動し、逆に、腕部の先端側に向けて摺動させると腕部は下方に向けて回動する。そして、所望の角度に調節した後、上記した操作部３５ａを把持して、カムレバー３５を図２に示す位置に戻すことにより、摺動部３０ｂが上昇して腕部の凹凸部９ｃと係合部３０ａの凹凸部３０ｃが係合状態となる。両者が係合状態となると、摺動部３０ｂの移動が阻止されるため、腕部９の位置が固定される。
【００１９】
以上のように、この実施の形態によれば、腕部の回動角度の調節を果たす位置決め部材３０を本来デッドスペースだった腕部９側に設けたことで、釣竿保持装置自体の大型化が防止でき、収納をコンパクトにすることができる。また、カムレバー３５を回動操作する簡単な操作だけで、位置決め部材３０は位置変更できるため、腕部９の角度調節がきわめて容易に行える。
【００２０】
図８及び図９は、本発明の第２の実施の形態を示す図である。前記実施の形態では、腕部９に形成される孔９ｂを上下方向としていたが、図に示すように、同様の機能を果たす孔９ｂ′を腕部９の左右方向に開口させて腕部に沿って延出させても良い。この孔９ｂ′の中央は、腕部の下方に向けて開口する開口凹所９ｅとなっており、この開口凹所９ｅにおける対向内面の各孔９ｂ′の周囲には、それぞれ凹凸部９ｃ′が形成されている。
【００２１】
この開口凹所９ｅには、位置決め部材４０が配されている。位置決め部材４０は、腕部９の裏面側をスライドする摺動部４０ａと、摺動部４０ａの略中央部に突設され、以下の操作部を保持する保持部４０ｂとを備えている。前記摺動部４０ａには、一端側が基台５に軸支された連結軸３２の他端側が軸支されている。また、前記保持部４０ｂには、移動阻止機構が設けられており、前記腕部９の孔９ｂ′の周囲に形成された凹凸部９ｃ′に対して係合、非係合することによって位置決め部材の移動を阻止するようになっている。
【００２２】
前記移動阻止機構は、前記保持部４０ｂの中央に形成された孔４０ｃに配された付勢バネ４０ｄによって、両側に向けて付勢されると共に、先端が腕部の表面から突出する一対の押圧操作部４０ｅを備えている。各押圧操作部４０ｅには、前記凹凸部９ｃ′に対向するように、凹凸部４０ｆが形成されており、通常、付勢バネ４０ｄによって、各押圧操作部４０ｅの凹凸部４０ｆは前記凹凸部９ｃ′に係合した状態にある。
【００２３】
そして、各押圧操作部４０ｅを摘んで腕部中心側に付勢バネ４０ｄの付勢力に抗して押し込むと、両者の係合状態は解除され、位置決め部材４０は、孔９ｂ′に沿って自由にスライドするようになる。上記したように両者の係合が解除されると、前記実施の形態と同様、連結軸３２の回動によって腕部９の回動角度を調節することが可能となり、腕部９が所望の角度となったときに、各操作部４０ｅの押圧を解除することにより、付勢バネ４０ｄの付勢力によって凹凸部９ｃ′に対して各押圧操作部４０ｅの凹凸部４０ｆが係合状態となる。両者が係合状態になると、摺動部４０ａの移動が阻止されるため、腕部９の位置が固定される。
【００２４】
以上のように、腕部９の回動角度の調節を果たす位置決め部材４０を、本来デッドスペースだった腕部９側に設けたことで、釣竿保持装置自体の大型化が防止でき、収納をコンパクトにすることができる。また、各押圧操作部４０ｅを摘んで押し込むという簡単な操作だけで、位置決め部材４０は位置変更できるため、腕部９の角度調節がきわめて容易に行える。さらに、押圧操作部４０ｅの突出量を少なくすることで、腕部表面を略平面状にすることが可能となり、釣糸の引っ掛かりを極力防止することができる。
【００２５】
図１０乃至図１２は、本発明の第３の実施の形態を示す図である。この実施の形態では、腕部９ｂに前記第１の実施の形態と同様、上下方向に貫通し長手方向に延出する孔９ｂが形成されており、ここに位置決め部材５０が配されている。位置決め部材５０は、腕部９の裏面側をスライドすると共に、裏面に接触可能な係合部５０ａと、係合部５０ａの略中央部に突設され、孔９ｂに沿って摺動する摺動部５０ｂとを備えている。
【００２６】
前記係合部５０ａの腕部側の表面には、腕部９の孔９ｂの周囲に形成された凹凸部９ｃに対して、移動阻止機構によって係合／非係合する凹凸部５０ｃが形成されている。また、係合部５０ａと基台５の間には、前記同様、連結軸３２が配されている。
【００２７】
前記移動阻止機構は、雄螺子部５５ａを具備した回転操作部（螺子頭部）５５と、前記摺動部５０ｂに設けられ、前記雄螺子部５５ａを螺合させる雌螺子部５０ｄとを有している。前記回転操作部５５と摺動部５０ｂとの間には、孔９ｂ内に位置する孔係合部５７ａを有するスライド案内部材５７が介在されており、前記孔係合部５７ａに形成された孔に、摺動部５０ｂに突出形成された突部５０ｅが嵌入されている。
【００２８】
上記した構成において、回転操作部５５を摘んで緩める方向に回転すると、摺動部５０ｂは下方にシフトし、腕部９の凹凸部９ｃから係合部５０ａの凹凸部５０ｃが離れる。この状態で、摺動部５０ｂは、スライド案内部材５７と共に孔９ｂ内を自由に摺動することが可能となって、連結軸３２の回動によって腕部９の回動角度を調節することができる。そして、所望の角度に調節した後、回転操作部材５５を摘んで締める方向に回転すると、摺動部５０ｂが上昇して腕部の凹凸部９ｃと係合部５０ａの凹凸部５０ｃが係合状態となる。両者が係合状態となると、摺動部３０ｂの移動が阻止されるため、腕部９の位置が固定される。
【００２９】
本実施の形態のように、移動阻止機構は、回動操作や押圧操作による構成以外にも、回転操作される螺子構造による構成とすることが可能である。なお、本実施の形態の構成において、スライド案内部材５７は省略しても良い。
【００３０】
以上、本発明の実施の形態について説明したが、本発明は上述した実施の形態に限定されることはなく種々変形することが可能である。例えば、位置決め部材は、凹凸部同士の係合によってその位置が固定されるようになっていたが、単なる摩擦面同士の係合によって位置を固定するように構成しても良い。また、位置決め部材と腕部との係合は、凹凸部同士としていたが、ラックとピニオンによって両者を係合しても良い。この場合、ピニオンに停止機構を設けたり、あるいは一方向クラッチ等を設けて、ピニオンが任意の位置に停止できるように構成しておけば良い。また、位置決め部材の操作については、回動、押圧、回転操作以外の方法であっても良い。
【００３１】
【発明の効果】
本発明の釣竿保持装置によれば、釣竿を保持する腕部に対して竿掛けした際、釣竿の上下方向の角度調節が容易に行えるようになり、また、大型化することが無くなる。
【図面の簡単な説明】
【図１】本発明の第１の実施の形態に係る釣竿保持装置を側面から見た図。
【図２】図１に示す釣竿保持装置の腕部を拡大して示す図であり、中央部分における断面図。
【図３】図２に示す釣竿保持装置を上方から見た図であって、併せて位置決め部材の断面構造を示す図。
【図４】図２に示す釣竿保持装置を下方から見た図であって、併せて位置決め部材の断面構造を示す図。
【図５】図２に示す状態から位置決め部材を解除した状態を示す図。
【図６】図５に示す釣竿保持装置を上方から見た図であって、併せて位置決め部材の断面構造を示す図。
【図７】図５に示す釣竿保持装置を下方から見た図であって、併せて位置決め部材の断面構造を示す図。
【図８】本発明の第２の実施の形態を示す図であり、腕部の中央部分の断面図。
【図９】図８に示した釣竿保持装置の腕部の部分に配された位置変更手段の構造を示す断面図。
【図１０】本発明の第３の実施の形態を示す図であり、腕部の中央部分の断面図。
【図１１】図１０に示す釣竿保持装置を上方から見た図であって、併せて位置決め部材の断面構造を示す図。
【図１２】図１１に示す位置決め部材部分の拡大図。
【符号の説明】
１…釣竿保持装置、５…基台、６…竿受け部、７…竿保持部、９…腕部、
９ｂ，９ｂ′…孔、９ｃ，９ｃ′…凹凸部、３０，４０，５０…位置決め部材、
３０ｃ…凹凸部、３２…連結軸、３５…カムレバー、４０ｄ…付勢バネ、
４０ｅ…押圧操作部、４０ｆ…凹凸部、５５…回転操作部材、
１００…リール、１０１…釣竿。
【図１】
0004231142.tif 000002
【図２】
0004231142.tif 000003
【図３】
0004231142.tif 000004
【図４】
0004231142.tif 000005
【図５】
0004231142.tif 000006
【図６】
0004231142.tif 000007
【図７】
0004231142.tif 000008
【図８】
0004231142.tif 000009
【図９】
0004231142.tif 000010
【図１０】
0004231142.tif 000011
【図１１】
0004231142.tif 000012
【図１２】
0004231142.tif 000013